(57)【要約】      （修正有）【課題】多用途スマート食い止め皿を提供する。【解決手段】複数の食い止め差込みユニット３と、食い止め皿２と、スタンド１とを含み、食い止め皿が着脱可能にスタンドに取り付けられ、食い止め皿に複数の貫通孔２１を開設し、複数の食い止め差込みユニットがそれぞれ複数の貫通孔に設置される。本考案は、設計が巧妙であり、構成が簡単であり、製造コストが低く、ペットの食事量を効果的に制御する上、ペットに遊ばせて、ペットの食事に対する興味を起こさせ、ペットの知能を訓練し、それとともに、主人がペットから離れて、他のことをやることができる。食い止め差込みユニットの弾性材質がさらにペットによい触感を与え、ペットの食事体験を効果的に向上させる。同時に、この食い止め皿の着脱可能な設計により、包装体積が小さく、保存に有利であり、運送コストを低減させ、それとともに自由に組み合わせることができ、様々な用途を有する。【選択図】図１
0003205482.tif 000002
【実用新案登録請求の範囲】
【請求項１】
少なくとも１つの食い止め差込みユニットと、食物を盛るための食い止め皿と、スタンドとを含み、前記食い止め皿が着脱可能に前記スタンドに取り付けられ、前記食い止め皿に少なくとも１つの貫通孔を開設し、前記少なくとも１つの食い止め差込みユニットがそれぞれ前記少なくとも１つの貫通孔に設置されることを特徴とする多用途スマート食い止め皿。
【請求項２】
前記食い止め差込みユニットの底部と前記貫通孔のエッジとに隙間を有し、前記食い止め差込みユニットが前記貫通孔に挿入しても回転できることを特徴とする請求項１に記載の多用途スマート食い止め皿。
【請求項３】
前記食い止め差込みユニットが弾性差込みユニットであることを特徴とする請求項１に記載の多用途スマート食い止め皿。
【請求項４】
前記食い止め皿と前記スタンドとの間にペットを誘うにおいを有する物を盛るための収納空間を有し、一部または全部の前記少なくとも１つの食い止め差込みユニットの表面ににおいを発散するための複数の小孔を開設することを特徴とする請求項１に記載の多用途スマート食い止め皿。
【請求項５】
前記食い止め皿の背部に少なくとも１つの取付柱が設置され、前記スタンドの表面に少なくとも１つの取付孔が設置され、前記取付柱が前記取付孔に合わせることを特徴とする請求項１に記載の多用途スマート食い止め皿。
【請求項６】
前記食い止め皿及び前記スタンドがいずれも硬質材料により製造されることを特徴とする請求項１に記載の多用途スマート食い止め皿。
【請求項７】
前記食い止め皿は平面であり、その径方向寸法が前記スタンドより小さく、前記スタンドの周辺に食物の落ちを防止するための及び／又はおもちゃが転がるレールとして上へ折る折り返しエッジが設置されることを特徴とする請求項１に記載の多用途スマート食い止め皿。
【請求項８】
前記食い止め皿は中央が下へ凹む平面及び周辺のストップカラーから構成され、前記スタンドの周辺に食物の落ちを防止するための及び／又はおもちゃが転がるレールとして上へ折る折り返しエッジが設置されることを特徴とする請求項１に記載の多用途スマート食い止め皿。
【請求項９】
前記スタンドにおいて食い止め皿と係止する部分はエッジがフランジであり、中心が陥凹する空洞であり、前記フランジと前記折り返しエッジとの間が環状凹溝であることを特徴とする請求項７または８に記載の多用途スマート食い止め皿。
【請求項１０】
前記スタンドの底部にシリコンゴム材質により製造される複数の滑止めマットが取り付けられることを特徴とする請求項１に記載の多用途スマート食い止め皿。
【考案の詳細な説明】
【技術分野】
【０００１】
本考案はペット用品分野に関し、特に、多用途スマート食い止め皿に関する。
【背景技術】
【０００２】
調査によると、世界では、３４％のペットである犬が肥満であると、ペットの筋肉組織疾病、骨格問題を起こし、活動時に、根気がなく、心臓血管問題等を起こし、同時に免疫系を破壊する。現在において早食いによるペットである犬の肥満および一連の消化系の問題に対して、ペットの食事速度を制御できる新規な食器を提供する必要がある。
【考案の概要】
【０００３】
これを鑑みて、背景技術に記載の問題に対して、多用途スマート食い止め皿を提供する。
【０００４】
本考案の目的は以下の技術方案により実現される。
【０００５】
少なくとも１つの食い止め差込みユニットと、食い止め皿と、スタンドとを含み、前記食い止め皿が着脱可能に前記スタンドに取り付けられ、前記食い止め皿に少なくとも１つの貫通孔を開設し、前記少なくとも１つの食い止め差込みユニットがそれぞれ前記少なくとも１つの貫通孔に設置されることを特徴とする多用途スマート食い止め皿。
【０００６】
前記食い止め差込みユニットの底部と前記貫通孔のエッジとに隙間を有し、前記食い止め差込みユニットが前記貫通孔に挿入しても回転できる。
【０００７】
前記食い止め差込みユニットが弾性差込みユニットであり、シリコンゴム、ＴＰＲ等の軟性材料により製造され、ある程度の弾性を有する。
【０００８】
前記食い止め皿と前記スタンドとの間にペットを誘うにおいを有する物を盛るための収納空間を有し、一部または全部の前記少なくとも１つの食い止め差込みユニットの表面ににおいを発散するための複数の小孔を開設する。
【０００９】
前記食い止め差込みユニットの形状が多様であり、具体的な形状に限られなく、魚尾型、棒骨型または植物形等であってもよい。
【００１０】
前記食い止め皿の貫通孔の形状が限られなく、食い止め差込みユニット形状により決められる。
【００１１】
前記食い止め皿の背部に少なくとも１つの取付柱が設置され、前記スタンドの表面に少なくとも１つの取付孔が設置され、前記取付柱が前記取付孔に合わせる。
【００１２】
前記食い止め皿及び前記スタンドがいずれも硬質材料により製造され、メラミン、プラスチック等であってもよい。
【００１３】
前記食い止め皿が前記スタンドの中部に取り付けられ、前記食い止め皿が平面であるが、下へ凹む平面であってもよく、前記少なくとも１つの貫通孔が前記下へ凹む平面に設置され、前記貫通孔が食い止め差込みユニットの差込み孔としてもよいが、においを発散する孔としてもよい。エッジにストップカラーが設置されてもよい。前記スタンドの周辺に食物の落ちを防止するための上へ折る折り返しエッジが設置される。前記スタンドにおいて食い止め皿と係止する中央部分は、エッジがフランジであり、中心が陥凹する空洞であり、前記フランジと前記折り返しエッジとの間が環状凹溝である。前記環状凹溝はさらに球体が転がるレールとしてもよく、前記食い止め皿のエッジがおもちゃを邪魔してレール外に転がることがない。前記スタンドの空洞が前記食い止め皿に対応して係止して前記収納空間を形成し、においを発散する猫草、スナック等のものを収納し、ペットが食事または遊びをして来るように誘う。
【００１４】
前記下へ凹む平面を有してエッジにストップカラーが設置される食い止め皿は、食い止め差込みユニットを外し、対応形状の猫が引っかかる紙板を置き、猫が引っかかるおもちゃとしてもよく、においが食い止め皿において下へ凹む平面の貫通孔から紙板を経由して発散し、ペットを誘う。
【００１５】
前記スタンドの底部にシリコンゴム材質から製造される複数の滑止めマットが設置され、ペットが食事または遊びをする時において移動を防止する。
【００１６】
従来の技術に比べて、本考案は以下の美点を有する。
【００１７】
本考案は、設計が巧妙であり、構成が簡単であり、製造コストが低く、ペットの食事量を効果的に制御する上、ペットに遊ばせて、ペットの食事に対する興味を起こさせ、ペットの知能を訓練し、それとともに、主人がペットから離れて、他のことをやることができる。食い止め差込みユニットの弾性材質がさらにペットによい触感を与え、ペットの食事体験を効果的に向上させる。同時に、この食い止め皿の着脱可能な設計により、包装体積が小さく、保存に有利であり、物流コストを低減させ、それとともに自由に組み合わせることができ、様々な用途を有する。
【図面の簡単な説明】
【００１８】
【図１】本考案の実施例に係るスマート食い止め皿の分解構造を示す図である。
【図２】本考案の実施例に係るスマート食い止め皿の他の構造を示す図である。
【考案を実施するための形態】
【００１９】
本実施例が提供する多用途ペットスマート食い止め皿は、図１に示すように、複数の食い止め差込みユニット３、食い止め皿２及びスタンド１から構成される。
【００２０】
前記食い止め皿２の底部に複数の取付柱が設けられ、前記スタンド１の上表面に複数の取付孔１２が設置され、複数の取付柱と複数の取付孔１２とは一々に対応して取り付けられて固定され、食い止め皿２とスタンド１とを互いに着脱可能に固定させる。
【００２１】
前記スタンド１の中央は人類が食物を盛るための皿のようなエッジが高くて中央が低い食物皿１３であり、前記複数の取付孔１２が食物皿１３のエッジに設置される。食い止め皿２とスタンド１とが互いに係止する時、前記食物皿１３と食い止め皿２とは収納空間を形成し、においを発散する猫草、スナック等のものを収納し、ペットが食事や遊びをして来るように誘う。前記スタンド１の周辺に食物の落ちを防止するための上へ折る折り返しエッジ１１が設置される。前記折り返しエッジ１１と前記食物皿１３との間の環状陥凹部がさらに球体が転がるレールとしてもよい。
【００２２】
前記食い止め皿２に複数の貫通孔２１が開設され、前記複数の食い止め差込みユニット３がそれぞれ対応して前記複数の貫通孔２１に挿入する。
【００２３】
食い止め差込みユニット３の底部と前記貫通孔２１のエッジとに隙間があり、前記食い止め差込みユニット３が前記貫通孔２１に挿入しても回転できる。
【００２４】
前記食い止め差込みユニットが弾性差込みユニットであり、シリコンゴム、ＴＰＲ等の軟性材料により製造され、ある程度の弾性を持つ。
【００２５】
一部または全部の前記複数の食い止め差込みユニット３の表面ににおいを発散するための複数の小孔を開設する。前記食い止め差込みユニット３の形状は限られなく、魚尾型、棒骨型または植物形等であってもよい。
【００２６】
前記食い止め皿２の貫通孔２１の形状が食い止め差込みユニット３の形状にマッチすればよい。
【００２７】
前記食い止め皿２及び前記スタンド１がいずれも硬質材料により製造され、メラミン、プラスチック等であってもよい。
【００２８】
前記スタンド１の底部にシリコンゴム材質により製造される複数の滑止めマット４があり、ペットが食事または遊びをする時において移動を防止する。
【００２９】
１つの食い止め皿２に複数の食い止め差込みユニット３を差込み、使用時、まずにおいを発散する猫草等のペット食物をスタンド１の食物皿１３内に入れ、そして食い止め皿２をスタンド１に固定させ、においが食い止め差込みユニット３における孔から発散し、ペットが食事または遊びをして来るように誘う。食物を食い止め皿２に置き、食い止め差込みユニット３の邪魔により、ペットの口が下へ伸びることができなく、舌のみにより小口で食事をし、効果的にペットの食事速度を遅延させる。同時に、食い止め差込みユニット３と食い止め皿２の円孔とがある程度の隙間を有し、食い止め差込みユニット３が回転でき、ペットが爪または口で食い止め差込みユニット３を回転させ、差込みユニット３と円孔との隙間を調節し、このようにして、より多いまたは少ない食物を与えることができる。より多い食物を食べるためには、ペットがより多い方法を考えて食い止め差込みユニット３を調節する必要があり、このようにして、食い止め作用を果たすだけでなく、ペットの知能を訓練する作用を果たす。食い止め差込みユニット３の高さがペットの食事の生物機能科学により設計され、ペットが食事をする時に不機嫌にならない。
【００３０】
本考案が保護する技術方案は上述した実施形態に限られず、さらにその他の変形を有してもよい。例えば、前記食い止め皿２は図１に示す平面であるが、図２に示すように、食い止め皿が下へ凹む平面２１１及びその周辺のストップカラー２１２から構成され、伝統的な皿状またはプレート状となり、下へ凹む前記平面２１１に複数の貫通孔２１３が設置され、その機能及び構成は図１に示す貫通孔２１に類似する。
【図１】
0003205482.tif 000003
【図２】
0003205482.tif 000004